(57)【要約】【課題】広視野角を確保しながら色再現性を向上できる液晶装置及びその液晶装置を用いた電子機器を提供すること。【解決手段】第１電極としての画素電極１５と第２電極としての共通電極１７との間に電界が生じたときに、液晶分子６ａは第１の方向としての初期配向方向と第２の方向としての位相差層９の遅相軸方向とが鋭角をなす方向とは反対方向に、第１の方向から回転するように配向が制御されることとした。従って、理想的な波長（例えば５８０ｎｍ）以外の波長の光が、位相差層９によりポアンカレ球で見て直線偏光とされる赤道上からずれても、そのずれを相殺するような方向に戻すことができ、より直線偏光に近い状態で反射が可能となり、色再現性が向上する。【選択図】  図３
2008180847.tif 000002
【特許請求の範囲】
【請求項１】
第１基板と第２基板との間に液晶層が挟持され、透過表示部と反射表示部とを備えた複数の画素を有し、前記第２基板には第１電極と第２電極とが設けられ、該第１電極と第２電極との間に生じる電界によって前記液晶層の液晶分子の配向を制御する液晶装置において、
前記液晶層の前記液晶分子は、第１の方向に配向が付与されており、
前記第１基板又は前記第２基板の前記液晶層側には、前記第１の方向と交差した第２の方向に遅相軸を有した位相差層が少なくとも前記反射表示部に設けられており、
前記電界が生じたときに、前記液晶分子は、前記第１の方向と前記第２の方向とが鋭角をなす方向とは反対方向に、前記第１の方向から回転するように配向が制御されていることを特徴とする液晶装置。
【請求項２】
第１基板と第２基板との間に液晶層が挟持され、透過表示部と反射表示部とを備えた複数の画素を有し、前記第２基板には第１電極と第２電極とが設けられ、該第１電極と第２電極との間に生じる電界によって前記液晶層の液晶分子の配向を制御する液晶装置において、
前記液晶層の前記液晶分子は、第１の方向に配向が付与されており、
前記第１基板又は前記第２基板の前記液晶層側には、前記第１の方向と交差した第２の方向に遅相軸を有した位相差層が少なくとも前記反射表示部に設けられており、
前記電界が生じたときに、前記液晶分子は、前記第２の方向と離れる方向に、前記第１の方向から回転するように配向が制御されていることを特徴とする液晶装置。
【請求項３】
前記第２基板は、前記第１電極と前記第２電極との間に絶縁層を有していることを特徴とする請求項１又は請求項２に記載の液晶装置。
【請求項４】
前記第１電極と前記第２電極の少なくとも一方の電極は、間隙を有して平行に配列した複数の電極線状部を有し、該電極線状部の延在方向は、前記鋭角をなす前記第１の方向と前記第２の方向との間に配置されていることを特徴とする請求項１に記載の液晶装置。
【請求項５】
前記第１電極と前記第２電極の少なくとも一方の電極は、間隙を有して平行に配列した複数の電極線状部を有し、該電極線状部の延在方向は、前記第１の方向から前記第２の方向に近い側の前記第１の方向と前記第２の方向との間に配置されていることを特徴とする請求項２に記載の液晶装置。
【請求項６】
前記第１及び第２基板は、前記液晶層側と反対側に、前記第１基板に第１の偏光板を、前記第２基板に前記第１の偏光板の透過軸と直交する透過軸を有する第２の偏光板を夫々有し、
前記第１の方向は、前記第１の偏光板または第２の偏光板の透過軸と平行であり、
前記位相差層は、前記第１の偏光板と前記液晶層との間に配置され、前記反射表示部の前記液晶層のリタデーションは略４分の１波長であり、前記位相差層のリタデーションは略２分の１波長であることを特徴とする請求項１から請求項５のうちいずれか一項に記載の液晶装置。
【請求項７】
請求項１から請求項６のうちいずれか一項に記載の液晶装置を備えたことを特徴とする電子機器。
【発明の詳細な説明】
【技術分野】
【０００１】
本発明は、パーソナルコンピュータや携帯電話機等に用いられる液晶装置、その液晶装置を用いた電子機器に関する。
【背景技術】
【０００２】
従来、パーソナルコンピュータや携帯電話機等の電子機器の表示装置として液晶装置があり、野外や室内などの多様な環境下でも省電力で使用可能なように半透過型の液晶装置が用いられている。
【０００３】
また、液晶装置の表示品質や機能の向上は常に求められており、例えば広視野角を図るためＩＰＳ（Ｉｎ  Ｐｌａｎｅ  Ｓｗｉｔｃｈｉｎｇ）方式等が半透過型液晶装置にも用いられている。
【０００４】
しかし、例えば液晶パネルの上側と下側に全面に位相差板を配置すると当該位相差板による視角依存性により、法線方向から離れるにつれて暗表示の最適条件から急速に外れるという問題があった。
【０００５】
そこで、半透過型ＩＰＳ方式の反射表示部のみに位相板を配置して、偏光板は反射表示部と透過表示部で共通の使用とし、かつ、液晶パネルの上下に全面に渡って配置し、位相板は、内蔵位相板として液晶パネル内部に形成し、パターニングして反射表示部のみに形成することが提案されている（例えば、特許文献１参照。）。
【特許文献１】特開２００５−３３８２５６号公報（段落[００１３]、図２）。
【発明の開示】
【発明が解決しようとする課題】
【０００６】
しかしながら、上述の方法により半透過型液晶装置の暗表示の広視野角化が図れるようになったが、明表示の白表示が緑っぽく見え、色再現性が悪いという問題があった。
【０００７】
本発明は、上述の課題に鑑みてなされるもので、広視野角を確保しながら色再現性を向上できる液晶装置及びその液晶装置を用いた電子機器を提供することを目的とする。
【課題を解決するための手段】
【０００８】
上記目的を達成するために、本発明の主たる観点に係る液晶装置は、第１基板と第２基板との間に液晶層が挟持され、透過表示部と反射表示部とを備えた複数の画素を有し、前記第２基板には第１電極と第２電極とが設けられ、該第１電極と第２電極との間に生じる電界によって前記液晶層の液晶分子の配向を制御する液晶装置において、前記液晶層の前記液晶分子は、第１の方向に配向が付与されており、前記第１基板又は前記第２基板の前記液晶層側には、前記第１の方向と交差した第２の方向に遅相軸を有した位相差層が少なくとも前記反射表示部に設けられており、前記電界が生じたときに、前記液晶分子は、前記第１の方向と前記第２の方向とが鋭角をなす方向とは反対方向に、前記第１の方向から回転するように配向が制御されていることを特徴とする。
【０００９】
ここで、「第１電極」とは、例えば画素電極であり、「第２電極」とは、例えば共通電極である。勿論、これに限定するものではない。
【００１０】
本発明は、第１電極と第２電極との間に電界が生じたときに、液晶分子は第１の方向としての初期配向方向と第２の方向としての位相差層の遅相軸方向とが鋭角をなす方向とは反対方向に、第１の方向から回転するように配向が制御されていることとした。従って、理想的な波長（例えば５８０ｎｍ）以外の波長の光が、位相差層によりポアンカレ球で見て直線偏光とされる赤道上からずれても、そのずれを相殺するような方向に戻すことができ、より直線偏光に近い状態で反射が可能となり、色再現性が向上する。
【００１１】
例えば図７に示すように液晶分子の初期配向方向を画素電極の電極線状部の延在方向から所定角度だけ反時計回りに配置し、位相差層の遅相軸が当該液晶分子の初期配向方向から反時計回りに略６７．５度となる関係を有する場合を考える。この場合、液晶分子は、例えば画素電極と共通電極との間に電圧を印加したときに、初期配向方向から位相差層の遅相軸方向への方向と同じ方向Ａ（図７中のＡ）に回転するように配向が制御される。これを、ポアンカレ球で考えると赤道上の直線偏光から例えば赤道を越えて回転したものが、その方向のまま進むので赤道付近に戻ることはより難しくなる。
【００１２】
これに対し、本発明のように初期配向方向（第１の方向）から位相差層の遅相軸方向（第２の方向）と液晶分子の初期配向方向（第１の方向）とが鋭角をなす方向と反対方向に液晶分子を回転するようにその配向を制御すると、ポアンカレ球で青色のような短波長を考えると赤道上の直線偏光から例えば赤道を越えて回転したものが、その方向と反対方向に戻るように進むこととなる。したがって、より赤道付近に戻ることが可能となり、白表示における色再現性を向上できる。
【００１３】
本発明の他の観点に係る液晶装置は、第１基板と第２基板との間に液晶層が挟持され、透過表示部と反射表示部とを備えた複数の画素を有し、前記第２基板には第１電極と第２電極とが設けられ、該第１電極と第２電極との間に生じる電界によって前記液晶層の液晶分子の配向を制御する液晶装置において、前記液晶層の前記液晶分子は、第１の方向に配向が付与されており、前記第１基板又は前記第２基板の前記液晶層側には、前記第１の方向と交差した第２の方向に遅相軸を有した位相差層が少なくとも前記反射表示部に設けられており、前記電界が生じたときに、前記液晶分子は、前記第２の方向と離れる方向に、前記第１の方向から回転するように配向が制御されていることを特徴とする。
【００１４】
本発明は、第１電極と第２電極との間に電界が生じたときに、液晶分子は位相差層の遅相軸方向としての第２の方向と離れる方向に、初期配向方向としての第１の方向から回転するように配向が制御されていることとした。従って、理想的な波長（例えば５８０ｎｍ）以外の波長の光で位相差層により、ポアンカレ球で見て直線偏光とされる赤道上からずれても、そのずれを相殺するような方向に戻ることができ、より直線偏光に近い状態で反射が可能となり、色再現性を向上できる。
【００１５】
本発明の一の形態によれば、前記第２基板は、前記第１電極と前記第２電極との間に絶縁層を有していることを特徴とする。これにより、電圧印加時に第１電極と第２電極との間に形成される電界は、大きく湾曲して形成され、電極上の液晶分子も配向変化を生じる等により、より広視野角化、高コントラスト化、高透過率化等図ることができる。
【００１６】
本発明の一の形態によれば、前記第１電極と前記第２電極の少なくとも一方の電極は、間隙を有して平行に配列した複数の電極線状部を有し、該電極線状部の延在方向は、前記鋭角をなす前記第１の方向と前記第２の方向との間に配置されていることを特徴とする。これにより、第１電極と第２電極との間に電圧を印加したときに、液晶分子を第１の方向と第２の方向とが鋭角をなす方向と反対側に回転するように配向を制御させることができ、反射光を直線偏光により近づけ、色再現性の向上が図れる。
【００１７】
本発明の一の形態によれば、前記第１電極と前記第２電極の少なくとも一方の電極は、間隙を有して平行に配列した複数の電極線状部を有し、該電極線状部の延在方向は、前記第１の方向から前記第２の方向に近い側の前記第１の方向と前記第２の方向との間に配置されていることを特徴とする。これにより、第１電極と第２電極との間に電圧を印加したときに、より確実に液晶分子を位相差層の遅相軸方向から離れる方向に回転するようにその配向を制御することができ、反射光を直線偏光により近づけ、色再現性の向上が図れる。
【００１８】
本発明の一の形態によれば、前記第１及び第２基板は、前記液晶層側と反対側に、前記第１基板に第１の偏光板を、前記第２基板に前記第１の偏光板の透過軸と直交する透過軸を有する第２の偏光板を夫々有し、前記第１の方向は、前記第１の偏光板または第２の偏光板の透過軸と平行であり、前記位相差層は、前記第１の偏光板と前記液晶層との間に配置され、前記反射表示部の前記液晶層のリタデーションは略４分の１波長であり、前記位相差層のリタデーションは略２分の１波長であることを特徴とする。これにより、例えば透過表示部においては、透過型ＩＰＳと同様の色表示特性を得ることができる。
【００１９】
本発明の他の観点に係る電子機器は、上述の液晶装置を備えたことを特徴とする。
【００２０】
本発明は、広視野角を確保しながら色再現性を向上できる液晶装置を備えるので、電子機器の表示品位を向上できる。
【発明を実施するための最良の形態】
【００２１】
以下、本発明の実施形態を図面に基づき説明する。なお、以下実施形態を説明するにあたっては、液晶装置の例としてＴＦＴ（Ｔｈｉｎ  Ｆｉｌｍ  Ｔｒａｎｎｓｉｓｔｏｒ）アクティブマトリックス型の半透過型液晶装置、またその液晶装置を用いた電子機器について説明するが、これに限られるものではない。また、以下の図面においては各構成をわかりやすくするために、実際の構造と各構造における縮尺や数等が異なっている。
【００２２】
（第１の実施形態）
【００２３】
図１は本発明の第１の実施形態に係る液晶装置の部分概略断面図、図２は第２基板を配向膜を除いた状態で表した概略平面図及び図３は液晶分子配向方向、電界方向、偏光板の透過軸方向及び位相差層の遅相軸方向の関係を説明する説明図である。
【００２４】
（液晶装置の構成）
【００２５】
液晶装置１は、例えば図１に示すように液晶パネル２、当該液晶パネル２に接続された図示しないフレキシブル基板、当該液晶パネル２に光を照射する照明装置３及び当該液晶パネル２及び照明装置３を収容する図示しないケースを有する。ここで、液晶装置１には、照明装置３の他にもその他の付帯機構が必要に応じて付設される。
【００２６】
液晶パネル２は、例えば図１及び図２に示すように図示しないシール材を介して貼り合わされた一対の基板である第１及び第２基板４，５及び両基板の間隙に封入されたＴＮ（Ｔｗｉｓｔｅｄ  Ｎｅｍａｔｉｃ）型の液晶層６等を有する。
【００２７】
ここで、第１及び第２基板４，５は、夫々例えばガラスといった透光性を有する板状部材からなる第１基材４ａ及び第２基材５ａを有し、図１に示すように第１及び第２基材４ａ，５ａの外側には入射光を偏光させるための第１及び第２の偏光板７，８が夫々貼着されている。
【００２８】
第１の偏光板及び第２の偏光板７，８は、夫々の透過軸が直交しており、例えば第２の偏光板８の透過軸は液晶層６の液晶分子６ａの第１の方向としての初期配向方向と一致している。
【００２９】
また、第１基材４ａは例えばその内側（液晶層側）に位相差層９及び配向膜１０が形成されている。位相差層９は、例えば図１に示すように各画素内に、後述する共通電極線により入射光を反射する反射表示部Ｂに対向する位置にパターニングして設けられている。これにより、全面に位相差層を配置することによる視角依存性を無くすことができる。
【００３０】
位相差層９は、例えば液晶高分子等からなり、そのリタデーションが略１／２波長となるように膜厚等を調整し、更にその第２の方向としての遅相軸方向が例えば液晶分子６ａの初期配向方向（第１の方向）から反時計回りに略６７．５度の角度となるように配向処理してある。
【００３１】
配向膜１０は、位相差層９等を覆うように第１基材４ａの液晶層側に形成されており、液晶分子６ａをその初期配向方向が、例えば図３に示すように後述するソース線方向（図３のＹ軸方向）から反時計回りに略７５度の角度となる様に配向処理する。
【００３２】
また、第２基材５ａは液晶側に例えば配向膜１１、ＴＦＴ１２、当該ＴＦＴ１２に電気的に接続されたゲート線１３、ソース線１４及び第１電極としての画素電極１５更に、絶縁層１６、当該絶縁層１６を介して画素電極１５と重なるように配置された第２電極としての共通電極１７、当該共通電極１７に電気的に接続された共通電極線１８等を有する。
【００３３】
共通電極線１８は、例えば第２基材５ａの液晶側に図１に示すように共通電極１７と絶縁層１９を介して一部重なっており、当該絶縁層１９に設けられた図示しないスルーホールで電気的に当該共通電極１７と電気的に接続されている。また、共通電極線１８は例えばアルミニウム等により形成されており、図１に示すように入射光Ｃが反射される。従って、当該共通電極線１８が共通電極１７及び画素電極１５と重なる領域で反射表示部Ｂが形成される。勿論、共通電極線１８と別に反射層を設けてもよい。
【００３４】
共通電極１７は、図１に示すように例えば共通電極線１８と一部、絶縁層１９を介して重なり、更に画素電極１５と絶縁層１６を介して略重なるように絶縁層１９の液晶層側に、ＩＴＯ（酸化インジウムスズ）等により形成されている。
【００３５】
また、画素電極１５は間隙を有して平行に配列された複数の電極線状部１５ａを有し、当該間隙は例えば図１及び図２に示すようにゲート線１３に平行なスリット１５ｂを形成している。従って、画素電極１５と共通電極１７とに電圧が印加されると、当該電極線状部１５ａと共通電極１７とでスリット１５ｂ及び絶縁層１６を介して大きく湾曲した電界が形成されることになる。
【００３６】
当該画素電極１５と共通電極１７とが重なる領域の内の共通電極線１８とも重なる領域である反射表示部Ｂを除いた領域が、透過表示部Ｄ（図１中のＤ）となり、後述する照明装置３からの光を透過させ第１の偏光板７から出射させる。
【００３７】
配向膜１１は、例えば図１に示すように第２基材５ａの一番液晶層側に形成されており、液晶分子６ａをその初期配向方向が、例えば図３に示すようにソース線方向（図３のＹ軸方向）から反時計回りに略７５度の角度となる様に配向処理する。
【００３８】
また、ゲート線１３とソース線１４とは、例えば図２に示すように交差しており，第２基材５ａの液晶層側のＸ軸方向に複数のゲート線１３が並行して形成され、同じく第２基材５ａの液晶側のＹ軸方向に複数のソース線１４が並行して形成されている。
【００３９】
尚、第１及び第２基材５ａ，６ａの液晶側には、図示しないが必要に応じて下地層、着色層及び光遮蔽層等が形成されている。
【００４０】
又、上述の説明では画素電極１５に有する間隙を例えば図１及び図２に示すようにゲート線１３に平行なスリット１５ｂとして説明したが勿論これに限られるものではなく、画素電極１５が間隙を有して平行に配列した複数の電極線状部を有すればよい。例えばスリットを有しない櫛歯形状の当該櫛歯同士の間隙であってもよい。これによっても、画素電極１５と共通電極１７とで電界を生じさせることができる。
【００４１】
更に上述したスリット或は櫛歯形状となる電極は、画素電極ではなく共通電極であっても良い。これにより、より多様な液晶装置にも本案を適用できる。
【００４２】
次に、照明装置３は、例えば図１に示すように液晶パネル２に光を供給するバックライトユニットであり、図示しない光源、導光板２０等を有する。
【００４３】
（液晶装置の動作）
【００４４】
次に、以上のように構成された液晶装置１の動作について液晶パネル２内の光の進み方を中心に説明する。
【００４５】
図４は、液晶装置１と先行技術文献記載の液晶装置との反射光の明るさを各波長で表したグラフである。
【００４６】
まず、透過表示部Ｄについては例えば図１に示すように第１及び第２の偏光板７，８と液晶分子６ａの関係を考える。そうすると、画素電極１５と共通電極１７とに電圧が印加されていないときは、照明装置３から第２の偏光板８に入射した光は、略第２の偏光板８の透過軸方向の直線偏光のまま第１の偏光板７に入射し、ここで第１の偏光板７の透過軸が第２の偏光板８の透過軸と直交しているので、吸収され黒表示となる。
【００４７】
また、画素電極１５と共通電極１７とに電圧が印加されたときは、光が例えば第２の偏光板８により液晶分子６ａの初期配向方向の略直線偏光になったとすると、第１の偏光板７に入射する際は液晶層６により楕円偏光となり、一部が第１の偏光板７の透過軸を通過して明表示となると考えられる。
【００４８】
一方、反射表示部Ｂでは、例えば図１に示すように第１の偏光板７、位相差層９及び液晶分子６ａを考慮することになる。そうすると、画素電極１５と共通電極１７とに電圧が印加されていないときは、例えば図３に示すように第１の偏光板７によりその透過軸方向に直線偏光した光が、位相差層９と液晶層６に入射して夫々のリタデーションが１／２波長、１／４波長であることから共通電極線１８に到達したときは円偏光となっている。そして、共通電極線１８により反射して再び第１の偏光板７に入射するときは、第１の偏光板７の透過軸とは直交する方向の直線偏光となるので、吸収され黒表示となる。
【００４９】
また、画素電極１５と共通電極１７とに電圧が印加されたときは、光が例えば第１の偏光板７によりその透過軸方向に略直線偏光になったとすると、液晶層６及び位相差層９により共通電極線１８に到達したときは略所定の直線偏光になっていると考えられる。そして、共通電極線１８により反射して再び第１の偏光板７に入射するときは、第１の偏光板７の透過軸とは平行方向の略直線偏光に戻るとすれば、第１の偏光板７の透過軸を通過して明表示となると考えることができる。
【００５０】
次に、反射表示部Ｂでの画素電極１５と共通電極１７との間に電圧を印加したときの明表示を更に詳細にポアンカレ球を用いて説明する。
【００５１】
すなわち、図３に示すように液晶分子６ａの初期配向方向を画素電極１５の電極線状部１５ａの延在方向から時計回りに、すなわち位相差層９の遅相軸方向と離れる方向に約１５度回転させて配向させたので、電圧を印加すると液晶分子６ａは遅相軸方向と離れる方向に回転するようにその配向が制御される。
【００５２】
これにより、理想的な波長（例えば５８０ｎｍ）以外の波長の光が、入射し位相差層９によりポアンカレ球で見て直線偏光とされる赤道上からずれても、そのずれを相殺するような方向に戻ることができ、共通電極線１８により直線偏光に近い状態で到達することとなる。従って、共通電極線１８により反射され、第１の偏光板７を透過する光がより明るくなる。
【００５３】
以上の点は、例えば図４に示すように縦軸に入射光の明るさを１としたときの反射光の明るさを取り、横軸に波長（ｎｍ）を取って、比較のため、先行技術文献の場合（図４中の破線）と本発明の場合（図４中の実線）との波長による反射光の明るさの変化をグラフにして見ると明らかである。
【００５４】
例えば図４に示すように、理想的な波長（例えば５８０ｎｍ）の場合は両者に違いは無いが、それ以外の波長では先行技術文献の場合は明るさが落ちてしまうが本発明の場合は十分な明るさがあることが判った。
【００５５】
これは、先行技術文献の場合は、例えば図７に示すように液晶分子６ａの初期配向方向を電極線状部１５ａの延在方向から約１５度の角度だけ反時計回りに配置し、位相差層９の遅相軸方向が当該初期配向方向から反時計回りに略６７．５度の角度となる関係を有する場合は、液晶分子は、画素電極と共通電極との間に電圧を印加したときに、初期配向方向から位相差層９の遅相軸方向への方向と同じ方向Ａ（図７中のＡ）に回転するように変化する。これを、ポアンカレ球で考えると赤道上の直線偏光から例えば赤道を越えて回転したものが、その方向のまま進むので赤道付近に戻ることはより難しくなり、第１の偏光板７を透過する光が弱くなるためと考えられる。
【００５６】
このことは、先行技術文献のような液晶分子等の配向の配置では、理想的な波長（例えば５８０ｎｍ）以外の波長では反射光の明るさが落ちてしまい、白表示が緑っぽくなる傾向があるが、本発明ではこの様なことは無く、色再現性が改善されたことが明らかである。特に白表示の際の色付きをより確実に防ぐことができる。
【００５７】
尚、以上のことは液晶層６が発現する位相差と位相差層９との位置関係によるものであり、第１及び第２の偏光板７，８が９０度回転しても同様である。
【００５８】
以上で液晶装置の動作の説明を終了する。
【００５９】
このように本実施形態によれば、第１電極としての画素電極１５と第２電極としての共通電極１７との間に電界が生じたときに、液晶分子６ａは第１の方向としての初期配向方向と第２の方向としての位相差層９の遅相軸方向とが鋭角をなす方向とは反対方向に、第１の方向から回転するように配向が制御されることとした。従って、理想的な波長（例えば５８０ｎｍ）以外の波長の光が、位相差層９によりポアンカレ球で見て直線偏光とされる赤道上からずれても、そのずれを相殺するような方向に戻すことができ、より直線偏光に近い状態で反射が可能となり、色再現性が向上する。
【００６０】
また、画素電極１５と共通電極１７との間に電界が生じたときに、液晶分子６ａは位相差層９の遅相軸方向としての第２の方向と離れる方向に、初期配向方向としての第１の方向から回転するように配向が制御されることとした。従って、理想的な波長（例えば５８０ｎｍ）以外の波長の光で位相差層９により、ポアンカレ球で見て直線偏光とされる赤道上からずれても、そのずれを相殺するような方向に戻ることができ、より直線偏光に近い状態で反射が可能となり、色再現性を向上できる。
【００６１】
更に第２基板５は、複数のスリット１５ｂが形成された画素電極１５と共通電極１７との間に絶縁層１６を有しているので、電圧印加時に画素電極１５と共通電極１７との間に形成される電界は、大きく湾曲して形成され、画素電極上の液晶分子６ａも配向変化を生じるなどして、より広視野角化、高コントラスト化、高透過率化等を図ることができる。
【００６２】
また、間隙を有して平行に配列した複数の電極線状部１５ａの延在方向は、鋭角をなす液晶分子６ａの初期配向方向である第１の方向と位相差層９の遅相軸方向である第２の方向との間に配置されていることとした。従って、画素電極１５と共通電極１７との間に電圧を印加したときに、液晶分子６ａを第１の方向と第２の方向とが鋭角をなす方向と反対側に面内（平面領域内）で回転するように配向を制御させることができ、反射光を直線偏光により近づけ、色再現性の向上が図れる。
【００６３】
更に間隙を有して平行に配列した複数の電極線状部１５ａの延在方向は、液晶分子６ａの初期配向方向である第１の方向から位相差層９の遅相軸方向である第２の方向に近い側の第１の方向と第２の方向との間に配置することとした。したがって、画素電極１５と共通電極１７との間に電圧を印加したときに、より確実に液晶分子６ａを位相差層９の遅相軸方向から離れる方向に面内（平面領域内）で回転するようにその配向を制御することができ、反射光を直線偏光により近づけ、色再現性の向上が図れる。
【００６４】
また、遅相軸方向の電極線状部１５ａの延在方向からの所定角度と液晶分子６ａの初期配向方向の当該電極線状部１５ａの延在方向からの所定角度は、何れも鋭角であることので、例えば遅相軸方向の液晶分子６ａの初期配向方向からの角度を６７．５度とし、しかも電圧の印加による液晶分子６ａの変化を当該遅相軸から離れるように変化させることができ、白表示の色再現性を確実に向上させることが可能となる。
【００６５】
更に第１及び第２基板４，５は、液晶層側と反対側に、第１基板４に第１の偏光板７を、第２基板５に第１の偏光板７の透過軸と直交する透過軸を有する第２の偏光板８を夫々有し、印加前の液晶分子６ａの配向方向は、第１の偏光板７または第２の偏光板８の透過軸と平行であり、位相差層９は、第１の偏光板７と液晶層６との間に配置され、反射表示部Ｂの液晶層６のリタデーションは略４分の１波長であり、位相差層９のリタデーションは略２分の１波長であることとした。従って、例えば透過表示部Ｄにおいては、透過型ＩＰＳと同様の色表示特性を得ることができる。
【００６６】
尚、本発明において一般的横電界モードのように２ドメインにすることによる利点はなく、例えば先行技術文献に記載されるようにスリットの傾き方向を２種類にしたことにより、電圧印加時における液晶配向方向が２方向になって、１画素全体では、右半分と左半分における視角特性の方位角依存性が相殺されて、視角特性がより向上するというようなことは無い。従って、本発明のように液晶分子６ａの初期配向と位相差層９の遅相軸方向等の位置関係とすることが、色再現性を確保する上でもっとも好ましい。
【００６７】
（第２の実施形態・電子機器）
【００６８】
次に、上述した液晶装置１を備えた本発明の第２の実施形態に係る電子機器について説明する。
【００６９】
図５は本発明の第２の実施形態に係る携帯電話機の外観概略図及び図６はパーソナルコンピュータの外観概略図である。
【００７０】
例えば、携帯電話機５００は、図５に示すように複数の操作ボタン５７１の他、受話口５７２、送話口５７３を有する外枠に例えば、液晶装置１を備えている。
【００７１】
また、パーソナルコンピュータ６００は、図６に示すようにキーボード６８１を備えた本体部６８２と、液晶表示ユニット６８３とから構成されており、液晶表示ユニット６８３は外枠に例えば、液晶装置１を備えている。
【００７２】
これらの電子機器は、液晶装置１の他に図示しないが表示情報出力源、表示情報処理回路等の様々な回路及びそれらの回路に電力を供給する電源回路等からなる表示信号生成部等を含んで構成される。
【００７３】
更に液晶装置１には例えば、パーソナルコンピュータ６００の場合にあってはキーボード６８１から入力された情報に基づき表示信号生成部によって生成された表示信号が供給されることによって、表示画像が液晶装置１に表示される。
【００７４】
本実施形態によれば、例えば広視野角を確保しながら色再現性を向上できる液晶装置１を備えたので、表示品質の高い電子機器を低コストに提供できる。
【００７５】
特に上述したような携帯可能な電子機器にあっては、高機能化等に伴い室内や野外でも広視野角でより高度な色彩再現性が求められており、かかる高い表示品質を低コストに提供できる本発明の意義は大きいといえる。
【００７６】
尚、電子機器としては、他に液晶装置が搭載されたタッチパネル、プロジェクタ、液晶テレビやビューファインダ型、モニタ直視型のビデオテープレコーダ、カーナビゲーション、ページャ、電子手帳、電卓等が挙げられる。そして、これらの各種電子機器の表示部として、上述した例えば液晶装置１が適用可能なのは言うまでもない。
【００７７】
また、本発明は上述したいずれの実施形態にも限定されず、本発明の技術思想の範囲内で適宜変更して実施できる。
【００７８】
例えば上述した実施形態では、液晶装置の一例として薄膜トランジスタ素子アクティブマトリクス型の液晶装置について説明したがこれに限られるものではなく、例えば、薄膜ダイオード素子アクティブマトリクス型やパッシブマトリクス型の液晶装置であってもよい。これにより、多種多様な液晶装置についても、広視野角を確保しながら色再現性を向上できる。
【図面の簡単な説明】
【００７９】
【図１】第１の実施形態に係る液晶装置の部分概略断面図である。
【図２】第２基板を配向膜を除いた状態で表した概略平面図である。
【図３】液晶分子配向方向、位相差層の遅相軸方向等の関係を説明する説明図である。
【図４】反射光の明るさを各波長で表したグラフである。
【図５】第２の実施形態に係る携帯電話機の外観概略図である。
【図６】第２の実施形態に係るパーソナルコンピュータの外観概略図である。
【図７】先行技術文献に係る液晶分子配向方向等の関係を説明する説明図である。
【符号の説明】
【００８０】
１  液晶装置、  ２  液晶パネル、  ３  照明装置、  ４  第１基板、  ５  第２基板、  ６  液晶層、  ６ａ  液晶分子、  ７  第１の偏光板、  ８  第２の偏光板、  ９  位相差層、  １０，１１  配向膜、  １２  ＴＦＴ、  １３  ゲート線、  １４  ソース線、  １５  画素電極、  １５ａ  電極線状部、  １５ｂ  スリット、  １６，１９  絶縁層、  １７  共通電極、  １８  共通電極線、  ２０  導光板、  ５００  携帯電話機、  ５７１  操作ボタン、  ５７２  受話口、  ５７３  送話口、  ６００  パーソナルコンピュータ、  ６８１  キーボード、  ６８２  本体部、  ６８３  液晶表示ユニット、  Ａ  液晶分子の回転方向、  Ｂ  反射表示部、  Ｃ  反射光、  Ｄ  透過表示部
【図１】
2008180847.tif 000003
【図２】
2008180847.tif 000004
【図３】
2008180847.tif 000005
【図４】
2008180847.tif 000006
【図５】
2008180847.tif 000007
【図６】
2008180847.tif 000008
【図７】
2008180847.tif 000009